(57)【特許請求の範囲】
【請求項１】
脚の上端に設けた上向き開口の座受け体と、この座受け体に後傾動可能に取付けた座体と、前記座受け体に後傾動自在に取り付けた背支持アームと、前記背支持アームに取付けた背もたれとを備えており、前記背支持アームと座体とを、両者が連動して後傾動するように軸によって連結しており、
前記座受け体の内部に、前記背支持アームの後傾動を支持する主ばね手段と、前記背支持アーム及び座体を自在に傾動するフリー状態と任意の姿勢に保持されたロック状態とに切り換えるためのガスシリンダとが配置されており、
更に、着座した人が回動操作することによって前記ガスシリンダをフリー状態とロック状態とに切り換える操作レバーが、座受け体の内部に部分的に入り込んだ状態で設けられており、この操作レバーは、その回動により、ガスシリンダを伸縮自在なフリー状態に保持するロック解除姿勢とガスシリンダを伸縮不能なロック状態に保持するロック姿勢とに選択的に保持されるようになっている椅子であって、
前記座受け体の内部に、当該座受け体とは別体でかつ前記操作レバーが回動自在に取付く軸受けを有するレバーキャッチ部材を固定しており、このレバーキャッチ部材に、前記操作レバーの先端部が嵌まり変わることによって当該操作レバーをロック解除姿勢とロック姿勢とに切り換える係合部が設けられていると共に、前記座体の後傾動を下方から支持する補助ばね手段がずれ不能に載置されている、
椅子。
【請求項２】
前記レバーキャッチ部材は筒状に形成されており、前記ガスシリンダに前記レバーキャッチ部材が被嵌している、
請求項１に記載した椅子。
【発明の詳細な説明】
【０００１】
【発明の属する技術分野】
本発明は、背もたれと座体とが連動して後傾するタイプの椅子に関するものである。
【０００２】
【従来の技術】
背もたれと座体とが連動して後傾するいわゆるシンクロタイプの椅子は、一般に、次のような構造になっている。
【０００３】
すなわち、脚の上端に上向き開口の座受け体を設けて、この座受け体に、第１軸によって座を後傾動自在に取付けると共に、背もたれが取付く背支持アームを第２軸によって後傾動自在に取付け、これら座体と背支持アームとを第３軸で回動自在に連結し、更に、座受け体に対して前記第１軸又は第２軸のいずれか一方が嵌まっている穴を略前後方向に延びる長穴とすることにより、背もたれと座体との連動（シンクロ）を可能ならしめ、更に、前記第１軸又は第２軸の前後動をコイルばねで支持する構造になっている。
【０００４】
【発明が解決しようとする課題】
ところで、着座した人が背もたれに大きくもたれ掛かった場合、背もたれが後傾するほど人の身体が後方にのけぞるような状態になることから、人の上半身の重心が後方に移動するような状態になるため、背もたれに作用するモーメントの増加率が、背もたれの後傾角の変化率よりも大きくなる傾向を呈する。
【０００５】
一方、コイルばねのばね定数は一定であるため、背もたれの後傾初期において適切な反力（抵抗）が得られるようにコイルばねのばね力を設定していると、後傾の終期においては反力が小さくなる状態になって、背もたれがストンという感じで後傾し切る現象が生じ、逆に、後傾終期において適切な反力が得られるようにコイルばねのばね力を設定しておくと、後傾初期において過度に後傾しにくくなる現象が生じており、後傾の全域にわたって人の上半身に適切な反力を付与することができにくいという欠点があった。
【０００６】
そこで、主ばね手段としてのコイルばねに加えて、補助ばね手段としてゴムを併用することが行われている。この場合、コイルばねとゴムとを左右に並設して、第１軸又は第２軸のうちいずれか一方の可動軸をゴムで支持したり、或いは、座受け体に設けた支持部材にゴムを載せて、ゴムによって座体を下方から支持したりしている。
【０００７】
しかし、従来は、ゴムを支持するだけの専用の部材を設けているため、構造が複雑になると共に組立の手間もかかるという問題があった。
【０００８】
本発明はこの問題を解消することを目的とするものである。
【０００９】
【課題を解決するための手段】
本発明に係る椅子は、脚の上端に設けた上向き開口の座受け体と、この座受け体に後傾動可能に取付けた座体と、前記座受け体に後傾動自在に取り付けた背支持アームと、前記背支持アームに取付けた背もたれとを備えており、前記背支持アームと座体とを、両者が連動して後傾動するように軸によって連結しており、前記座受け体の内部に、前記背支持アームの後傾動を支持する主ばね手段と、前記背支持アーム及び座体を自在に傾動するフリー状態と任意の姿勢に保持されたロック状態とに切り換えるためのガスシリンダとが配置されている。
更に、着座した人が回動操作することによって前記ガスシリンダをフリー状態とロック状態とに切り換える操作レバーが、座受け体の内部に部分的に入り込んだ状態で設けられており、この操作レバーは、その回動により、ガスシリンダを伸縮自在なフリー状態に保持するロック解除姿勢とガスシリンダを伸縮不能なロック状態に保持するロック姿勢とに選択的に保持されるようになっている。
そして、前記座受け体の内部に、当該座受け体とは別体でかつ前記操作レバーが回動自在に取付く軸受けを有するレバーキャッチ部材を固定しており、このレバーキャッチ部材に、前記操作レバーの先端部が嵌まり変わることによって当該操作レバーをロック解除姿勢とロック姿勢とに切り換える係合部が設けられていると共に、前記座体の後傾動を下方から支持する補助ばね手段がずれ不能に載置されている。
【００１０】
また、請求項２の発明に係る椅子は、請求項１において、前記レバーキャッチ部材は筒状に形成されており、前記ガスシリンダに前記レバーキャッチ部材が被嵌している。
【００１１】
【発明の作用・効果】
本発明においては、ゴム等の補助ばね手段を支持することだけのために特別に支持部材を設ける必要はなく、レバーキャッチ部材を補助ばね手段の支持部材に兼用するものであるから、背もたれの後傾動を的確に支持してロッキング効果の高い椅子でありながら、構造の複雑化を回避することができると共に、組立の手間を軽減することができる。
【００１２】
また、背もたれをロックするためのガスシリンダを操作するための操作レバーの取付け及び姿勢保持のためのレバーキャッチ部材を補助ばね手段の支持に兼用するものであるが、レバーキャッチ部材は広い面積を有するため、ゴム等の補助ばね手段を的確に支持できる。
【００１３】
【発明の実施形態】
次に、本発明の実施形態を図面に基づいて説明する。
【００１４】
≪主たる実施形態≫
図１〜図６は主たる実施形態を示しており、図１は椅子の右側面図、図２は要部の平面図、図３は図２の III-III視断面図、図４は図２のIV−IV視断面図、図５は図２の V-V視断面図、図６は図２のIV−IV視方向から見た部分的な拡大断面図である。
【００１５】
椅子は、脚（ガスシリンダ）１の上端に固定した座受け体２と、クッションが張られた座体３と、背もたれ４と、この背もたれ４が取付いた背支持アーム５とを備えており、前記座受け体２は断面上向き開口コ字状になっている。
【００１６】
座体３の下面にはベースブラケット６が固着されており、このベースブラケット６に、平面視で座受け体２の左右外面に沿って延びる一対の側板６ａを設け、この側板６ａの前部と座受け体２の側板２ａとに左右長手の第１軸７を貫通させることにより、座体３を、後傾動し得るように座受け体２に取付けている。
【００１７】
本実施形態の背支持アーム５はアルミダイキャスト品や合成樹脂成形品等からなっており、座受け体２の左右側面に沿って延びる一対の足部５ａを一体に設け、左右足部５ａの先端を第２軸８によって座受け体２に回動自在に取付け、更に、背支持アーム５と前記座体３におけるベースブラケット６の側板６ａとを第３軸９によって回動自在に連結している。この場合、座受け体２における第２軸８の挿入穴を側面視でやや後傾状に延びる長穴１０としている。
【００１８】
敢えて説明するまでもないが、第２軸８が長穴１０内で前進することにより、背もたれ４と座体３とが連動して後傾することが許容される。この場合、座体３の後傾する割合は背もたれ４の後傾する割合よりも遥かに小さい。なお、図２や図３に示すように、背支持アーム５には、前後方向に延びる補強リブ１１が多数形成されている。背支持アーム５は他の形態・構造でも良いことは言うまでもなく、例えば左右別々に分離していても良い。
【００１９】
座受け体２の右側板２ａには、脚用ガスシリンダ１の操作弁１２を操作するための昇降用レバー１３が、軸受け１４を介して取付けられている。昇降用操作レー１３にはハンドル１５を装着している。
【００２０】
図２及び図３に示すように、座受け体２の内部のうち右側に偏った部位には、主ばね手段としてのコイルばね１６が配置されている。コイルばね１６の後端は、第２軸８に被嵌した後部ばね受け１７に支持されており、コイルばね１６の前部は前部ばね受け１８で支持されている。前部ばね受け１８は、撮み１９の回転操作によって上下動するくさび部材２０で前方から支持されている。
【００２１】
図２，４，５に示すように、座受け体２の内部には、前記コイルばね１６と並列した状態で背もたれロック用のガスシリンダ２１が配置されている。背もたれロック用ガスシリンダ２１の後端は第２軸８に被嵌しており、また、ロッド２２の前端には、平面視コ字状のフロントブラケット２３がナットで固定されており、フロントブラケット２３は第１軸７に被嵌している。
【００２２】
背もたれロック用ガスシリンダ２１におけるロッド２２の先端からは操作弁（プッシュロッド）２４が突出しており、操作弁２４が突出し切った状態ではロッド２２は摺動不能にロックされており（背もたれロック用ガスシリンダ２１は全体として伸縮不能に保持されており）、このため背もたれ４及び座体３は傾動不能にロックされている。他方、操作弁２４を押し込むと、ロッド２２が自在に摺動してガスシリンダ２１が全体として伸縮し得るフリー状態（ロック解除状態）になって、背もたれ４及び座体３は自在に後傾し得る。
【００２３】
背もたれロック用ガスシリンダ２１には筒状のレバーキャッチ部材２５が被嵌しており、このレバーキャッチ部材２５は、ねじや爪係合等によって座受け体２に固定されている。レバーキャッチ部材２５の左側部に一体に又は別体に設けた軸受け２６に、平面視でクランク状に形成したロック操作用レバー２７の前後長手部２７ａを回動自在に嵌め込んでいる。また、レバーキャッチ部材２５の後部上面には、ロック操作用レバー２７の先端部が挿入された係合部２８を一体に形成している。
【００２４】
ロック操作用レバー２７の先端部は係合部２８から外向きに突出しており、この突出部に、前方に延びる押さえ部材２９を溶接等によって一体に設けている。押さえ部材２９には、背もたれロック用ガスシリンダ２１における操作弁２４を前方から遮るように側面視傾斜状の押圧板部２９ａが一体に設けられている。
【００２５】
図示していないが、ロック用操作レバー２７のうち座受け体２の外側に露出した端部にはハンドルを設けており、このハンドルに手を当てて上向きに引くと、ロック用操作レバー２７がその前後長手部２７ａを中心にして回動することによって押さえ部材２９が下降動し、すると、背もたれロック用ガスシリンダ２１の操作弁２４が押圧板部２９ａで押されて、当該背もたれロック用ガスシリンダ２１は、ロッド２２が摺動自在なフリー状態（ロック解除状態）になる。
【００２６】
図６に示すように、前記係合部２８には、ロック用操作レバー２７を上昇位置と下降位置とに選択的に保持するための内向き突起３０を設けており、係合部２８を弾性に抗して変形させることにより、ロック用操作レバー２７は上昇位置（ロック姿勢）と下降位置（ロック解除姿勢）とに選択的に保持される。なお、本実施形態ではレバーキャッチ部材２５は合成樹脂で製造しており、軸受け２６と係合部２８とを一体に設けているが、これらを別体に製造して、何らかの手段で取付けても良い。
【００２７】
前記レバーキャッチ部材２５の上面には、補助ばね手段の一例としてのゴム３１が配置されている。ゴム３１はリング状に形成されており、レバーキャッチ部材２５には、ゴム３１がずれ不能に嵌まる突起３２を一体に形成している。座体３のベースブラケット６には、前記ゴム３１が当たる補強板３３を溶接等によって一体に設けている（ゴム３１でベースブラケット６を直接に支持しても良いことは言うまでもない）。
【００２８】
なお、座受け体２の後部には、図２で二点鎖線で示し、図３，４においては実線で示すように、カバー３４を装着している。
【００２９】
以上の構成において、背もたれロック用ガスシリンダ２１をフリーにして、その状態で着座した人が背もたれ４にもたれ掛かると、背もたれ４及び座体３は、コイルばね１６とゴム３１との弾性に抗して後傾動する。その場合、ゴム３１は圧縮されるに従って圧縮応力が増大するため、背もたれ４の後傾動に対して適切な抵抗を付与して、快適なロッキング状態を得ることができる。
【００３０】
そして、ゴム３１は、ロック用操作レバー２７を姿勢保持するためのレバーキャッチ部材２５で支持したものであるため、ゴム３１を支持する専用の部材を設ける必要はなく、その結果、構成を簡単化できると共に、組立の手間も軽減できる。なお、本実施形態のように、ゴム３１をリング状に形成すると、ボールキャッチ部材２５には受け部として突起３２を設けるだけで良いため、より構成が簡単になる利点がある。
【００３１】
≪その他≫
【００３２】
また、ゴムはリング状には限らず、図７（Ａ）に示すように円筒状やブロック状に形成したり、図７（Ｂ）に示すように台錐状に形成するなどしても良い。言うまでもないが、受け部はゴムの形態に応じて設定したら良い。また、補助ばね手段はゴム（プラスチックを含む）には限らず、コイルばねなどでも良い。
【図面の簡単な説明】
【図１】本発明の実施形態に係る椅子の右側面図である。
【図２】座体を省略した状態での平面図である。
【図３】図２の III-III視断面図である。
【図４】図２のIV−IV視断面図である。
【図５】図２の V-V視断面図である。
【図６】レバーキャッチ部材における係合部の拡大断面図である。
【図７】変形例を示す図である。
【符号の説明】
２  座受け体
３  座体
４  背もたれ
５  背支持アーム
６  ベースブラケット
７，８，９  軸
１６  主ばね手段としてのコイルばね
２１  背もたれロック用ガスシリンダ
２２  ガスシリンダのロッド
２３  フロントブラケット
２４  操作弁
２５  レバーキャッチ部材
２６  レバーキャッチ部材に設けた軸受け
２７  操作レバー
２８  係合部
２９  押さえ部材
３１  ゴム
３２  ゴムの受け部の一例としての突起
【図１】
0003756695.tif 000002
【図２】
0003756695.tif 000003
【図３】
0003756695.tif 000004
【図４】
0003756695.tif 000005
【図５】
0003756695.tif 000006
【図６】
0003756695.tif 000007
【図７】
0003756695.tif 000008